【手続補正書】
【提出日】平成30年8月10日(2018.8.10)
【手続補正１】
【補正対象書類名】明細書
【補正対象項目名】０３１６
【補正方法】変更
【補正の内容】
【０３１６】
本明細書に引用されるすべての参考文献及び刊行物は、それらが本開示と直接矛盾し得る場合を除き、それらの全容を参照によって本開示に明確に援用するものである。本開示の例示的実施形態を検討するとともに本開示の範囲内の可能な変形例を参照してきた。本開示のこれらの及び他の変形例及び変更例は開示の範囲から逸脱することなく当業者には明らかであろうとともに、本開示は本明細書に記載された例示的実施形態に限定されないことは理解されよう。したがって本開示は、冒頭に提示した特許請求の範囲によってのみ限定される。
以下、本発明の態様を説明する。
〔態様１〕
外周部を備えるマスク本体と、
前記マスク本体に取り付けられたハーネスと、
前記マスク本体の前記外周部の少なくとも一部分に隣接して配置されたフェースシールとを備えているレスピレータであって、前記フェースシールは、ポリマーリボンと、ポリマーストランドとを備えているポリマーネットを備え、前記ポリマーリボン及び前記ポリマーストランドのそれぞれは、長さ、幅及び高さを有し、前記長さは、最長寸法であり、
前記幅は、最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、レスピレータ。
〔態様２〕
マスク本体と、
前記マスク本体の対向する側部において前記マスク本体に接合された１つ以上のストラップを備えているハーネスとを備えているレスピレータであって、前記１つ以上のストラップは、ポリマーリボンと、ポリマーストランドと、を含むポリマーネットを備え、前記ポリマーリボン及び前記ポリマーストランドのそれぞれは、長さ、幅及び高さを有し、前記長さは、最長寸法であり、前記幅は、最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、レスピレータ。
〔態様３〕
着用者の耳を覆うような形状の２つの耳カップと、
耳カップそれぞれの周縁部に沿って固定されたシールリングとを備えている聴覚保護具であって、前記シールリングは、ポリマーリボンと、ポリマーストランドとを備えるポリマーネットを備え、前記ポリマーリボン及びポリマーストランドのそれぞれは、長さ、幅及び高さを有し、前記長さは、最長寸法であり、前記幅は最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、聴覚保護具。
〔態様４〕
前記ポリマーリボンはそれぞれ、前記主表面を二分する中心線と、前記中心線の両側に対称に配置された第１及び第２の縁部とを有し、前記主表面は、前記第２の縁部よりも前記第１の縁部に近い位置において１つのポリマーストランドのみに断続的に結合されている、態様１若しくは２に記載のレスピレータ又は態様３に記載の聴覚保護具。
〔態様５〕
前記ポリマーリボンはそれぞれ、前記主表面を二分する中心線を有し、前記主表面は、前記中心線を含む位置において１つのポリマーストランドのみに断続的に結合されている、態様１若しくは２に記載のレスピレータ又は態様３に記載の聴覚保護具。
〔態様６〕
前記ポリマーリボンの前記第１の縁部は、前記ポリマーリボンの前記第２の縁部とは異なる組成物を含む、態様５に記載のレスピレータ又は聴覚保護具。
〔態様７〕
前記ポリマーネットの少なくとも一部分において前記ポリマーリボンと前記ポリマーストランドとは交互に配されている、態様１若しくは２に記載のレスピレータ又は態様３に記載の聴覚保護具。
〔態様８〕
前記フェースシールは、前記マスク本体の上外周部セグメントに隣接して配置されているとともに、着用者の鼻に接するように構成されている、態様１若しくは２に記載のレスピレータ又は態様３に記載の聴覚保護具。
〔態様９〕
前記フェースシールは、前記マスク本体の外周部全体に隣接して配置されている、態様１若しくは２に記載のレスピレータ又は態様３に記載の聴覚保護具。
〔態様１０〕
前記ポリマーネットは、少なくとも９０％の回復率を含む、態様１若しくは２に記載のレスピレータ又は態様３に記載の聴覚保護具。
〔態様１１〕
前記ポリマーネットは、少なくとも９８％の回復率を含む、態様１０に記載のレスピレータ又は聴覚保護具。
〔態様１２〕
前記ポリマーネットは、６０秒未満の変形回復時間を含む、態様１若しくは２に記載のレスピレータ又は態様３に記載の聴覚保護具。
〔態様１３〕
前記レスピレータは、フィルタ式フェースピースレスピレータを含む、態様１若しくは２に記載のレスピレータ又は態様３に記載の聴覚保護具。
〔態様１４〕
前記レスピレータは、折り畳み式レスピレータを含む、態様１若しくは２に記載のレスピレータ又は態様３に記載の聴覚保護具。
〔態様１５〕
前記ポリマーネットの前記ポリマーリボンは、第１のポリマーを備え、前記ポリマーネットの前記ポリマーストランドは、前記第１のポリマーとは異なる第２のポリマーを備えている、態様１若しくは２に記載のレスピレータ又は態様３に記載の聴覚保護具。
〔態様１６〕
前記ポリマーリボンは、平均高さを備え、前記ポリマーストランドは、平均高さを備え、前記ポリマーリボンの前記平均高さ対前記ポリマーストランドの前記平均高さの比は、少なくとも２：１である、態様１若しくは２に記載のレスピレータ又は態様３に記載の聴覚保護具。
〔態様１７〕
前記ポリマーリボンの前記平均高さ対前記ポリマーストランドの前記平均高さの前記比は、少なくとも３：１である、態様１６に記載のレスピレータ又は聴覚保護具。
【手続補正２】
【補正対象書類名】特許請求の範囲
【補正対象項目名】全文
【補正方法】変更
【補正の内容】
【特許請求の範囲】
【請求項１】
外周部を備えるマスク本体と、
前記マスク本体に取り付けられたハーネスと、
前記マスク本体の前記外周部の少なくとも一部分に隣接して配置されたフェースシールとを備えているレスピレータであって、前記フェースシールは、ポリマーリボンと、ポリマーストランドとを備えているポリマーネットを備え、前記ポリマーリボン及び前記ポリマーストランドのそれぞれは、長さ、幅及び高さを有し、前記長さは、最長寸法であり、
前記幅は、最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、レスピレータ。
【請求項２】
マスク本体と、
前記マスク本体の対向する側部において前記マスク本体に接合された１つ以上のストラップを備えているハーネスとを備えているレスピレータであって、前記１つ以上のストラップは、ポリマーリボンと、ポリマーストランドと、を含むポリマーネットを備え、前記ポリマーリボン及び前記ポリマーストランドのそれぞれは、長さ、幅及び高さを有し、前記長さは、最長寸法であり、前記幅は、最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、レスピレータ。
【請求項３】
着用者の耳を覆うような形状の２つの耳カップと、
耳カップそれぞれの周縁部に沿って固定されたシールリングとを備えている聴覚保護具であって、前記シールリングは、ポリマーリボンと、ポリマーストランドとを備えるポリマーネットを備え、前記ポリマーリボン及びポリマーストランドのそれぞれは、長さ、幅及び高さを有し、前記長さは、最長寸法であり、前記幅は最短寸法であり、前記高さは、前記長さ及び前記幅を横断する寸法であり、前記ポリマーリボンは、少なくとも５：１の高さ対幅のアスペクト比、１つのポリマーストランドのみに断続的に結合された主表面、及び、前記１つのポリマーストランドの高さよりも少なくとも２倍高い高さを有する、聴覚保護具。